(57)【要約】      （修正有）【課題】配管への着脱が容易であると共に、配管の長手方向の両端部からの放熱を防ぐことができる配管用保温カバーを提供する。【解決手段】配管用保温カバー１０は、保温材を内包した保温部と、保温部の短手方向両端部近傍に設けられ、互いに接合可能な第１着脱部２ａ、２ｂと、配管装着時に第１着脱部の全体を裏面側から覆う補強部材を備えた補強部３と、保温部の長手方向両端部近傍に設けられ、配管固定用の紐６ａ、６ｂを備える第２着脱部４ａ、４ｂとを有している。【選択図】図２
0003223570.tif 000002
【実用新案登録請求の範囲】
【請求項１】
配管の外周を保温する配管用保温カバーであって、
保温材を内包した保温部と、
前記保温部の短手方向両端部近傍に設けられた第１着脱部と、
配管装着時に前記第１着脱部の全体を裏面側から覆う補強部材を備えた補強部と、
前記保温部の長手方向両端部近傍に設けられた第２着脱部と、を有することを特徴とする配管用保温カバー。
【請求項２】
第１着脱部は、配管装着時に配管の長手方向に沿って設けられていることとなるスライドファスナーにより構成されていることを特徴とする請求項１に記載の配管用保温カバー。
【請求項３】
第２着脱部は、保温部の長手方向両端部近傍に設けられた挿通孔に紐が挿入されてなり、前記紐の両端を引張り、結ぶことによって、配管装着時には、前記保温部の長手方向両端部近傍が配管に密着することを特徴とする請求項１又は２に記載の配管用保温カバー。
【請求項４】
保温材はグラスウールからなることを特徴とする請求項１〜３のいずれか１項に記載の配管用保温カバー。
【請求項５】
保温部は、長手方向に平行に複数の区画を有することを特徴とする請求項１〜４のいずれか１項に記載の配管用保温カバー。
【考案の詳細な説明】
【技術分野】
【０００１】
本考案は、蒸気や温水等の流体を流通させる配管の外周に巻き付けて断熱及び保温を行うための配管用保温カバーに関するものである。
【背景技術】
【０００２】
従来から、配管の外周に巻き付けて断熱及び保温を行うための配管用保温カバーは知られており、その一例として、繊維質の保温材の外周を表面に金属層を設けた耐熱繊維クロスからなる外装材で被覆したものがある（特許文献１）。
【先行技術文献】
【特許文献】
【０００３】
【特許文献１】特許第３３９６６２４号公報
【考案の概要】
【考案が解決しようとする課題】
【０００４】
上記特許文献１に記載の配管用保温カバーは、配管の周方向の外装材の重ね合わせ端部が帯状の硬質シートで補強され、かつ外装材の周囲をバンドなどの緊縛材、又はファスナーで固定されている構造であり、配管の長手方向に間隔をおいて複数の緊縛材、又はファスナーを設置する必要があった。
【０００５】
また、上記特許文献１に記載の配管用保温カバーは、配管の長手方向の両端部で保温材が露出していることから、両端部から熱が放熱し易い構造となっていた。
【０００６】
本考案は、上記従来の課題を解決するため、配管への着脱が容易であると共に、配管用保温カバーの長手方向の両端部からの放熱を防ぐことができる配管用保温カバーを提供することを目的とする。
【課題を解決するための手段】
【０００７】
請求項１の考案は、配管の外周を保温する配管用保温カバーであって、保温材を内包した保温部と、前記保温部の短手方向両端部近傍に設けられた第１着脱部と、配管装着時に前記第１着脱部の全体を裏面側から覆う補強部材を備えた補強部と、前記保温部の長手方向両端部近傍に設けられた第２着脱部とを有することを特徴としている。
【０００８】
請求項１の配管用保温カバーの考案は、第１着脱部によって、配管の外周を覆うこととなり、第２着脱部によって、配管用保温カバーの長手方向両端部を覆うこととなるので、配管からの放熱を確実に防ぐことができる。また、補強部によって、第１着脱部からの放熱を防ぐことができる。
【０００９】
請求項２の考案は、請求項１の考案において、第１着脱部は、配管装着時に配管の長手方向に沿って設けられていることとなるスライドファスナーにより構成されていることを特徴としている。したがって、配管に対する着脱作業を容易に行うことができる。
【００１０】
請求項３の考案は、請求項１又は２の考案において、第２着脱部は、保温部の長手方向両端部近傍に設けられた挿通孔に紐が挿入されてなり、前記紐の両端を引張り、結ぶことによって、配管装着時には、前記保温部の長手方向両端部近傍が配管に密着することを特徴としている。したがって、保温部の保温材が外部に露出することは無く、配管用保温カバーの長手方向両端部からの放熱を防ぐことができる。
【００１１】
請求項４の考案は、請求項１〜３のいずれかの考案において、保温材はグラスウールからなることを特徴としている。したがって、グラスウールによって、断熱及び保温の効果を高めることができる。
【００１２】
請求項５の考案は、請求項１〜４のいずれかの考案において、保温部は、長手方向に平行に複数の区画を有することを特徴としている。したがって、保温部に内包されている保温材が偏るのを防ぐことができ、配管を均一に保温することができる。
【考案の効果】
【００１３】
請求項１の考案は、配管からの放熱を確実に防ぐことができる。また、請求項２の考案は、配管に対する着脱作業を容易に行うことができる。さらに、請求項３の考案は、保温部の保温材が外部に露出することは無く、配管用保温カバーの長手方向両端部からの放熱を防ぐことができる。
【００１４】
請求項４の考案は、断熱及び保温の効果を高めることができる。また、請求項５の考案は、保温部に内包されている保温材が偏るのを防ぐことができ、配管を均一に保温することができる。
【図面の簡単な説明】
【００１５】
【図１】本考案に係る配管用保温カバーを配管に装着する前の状態の表面を示す平面図。
【図２】本考案に係る配管用保温カバーを配管に装着する前の状態の表面を示す平面図。
【図３】本考案に係る配管用保温カバーを配管に装着する前の状態の裏面を示す平面図。
【図４】本考案に係る配管用保温カバーを配管に装着する時の形状を示す斜視図。
【図５】本考案に係る配管用保温カバーを配管に装着した状態を示す一部拡大斜視図。
【考案を実施するための形態】
【００１６】
次に、本考案の実施形態を図面に基づいて説明する。図１及び図２は、本考案に係る配管用保温カバー１０を配管に装着する前の状態の表面を示す平面図である。また、図３は、本考案に係る配管用保温カバーを配管に装着する前の状態の裏面を示す平面図である。尚、図２は、補強部３を表面側に折り曲げて一方側に設けられたスライドファスナーが見える状態としている。これらの図を用いて本発明に係る配管用保温カバーについて説明する。
【００１７】
図１及び図２に示すように、本考案の配管用保温カバー１０は、カバー本体１０ａに保温材を内包した保温部１と、保温部１の短手方向両端部近傍に設けられた第１着脱部２ａ、２ｂと、配管装着時に第１着脱部２ａ、２ｂの全体を裏面側から覆う補強部材を備えた長方形状の補強部３と、保温部１の長手方向両端部近傍に設けられた第２着脱部４ａ、４ｂとを有している。
【００１８】
本考案の配管用保温カバー１０は、上述の構成としたものであり、第１着脱部２ａ、２ｂによって、配管の外周を覆うこととなり、第２着脱部４ａ、４ｂによって、配管用保温カバー１０の長手方向両端部近傍の配管の外周面を覆うこととなるので、配管からの放熱を確実に防ぐことができる。尚、カバー本体１０ａの材質としては、一例として、シリコンクロスを挙げることができるが、表面及び裏面に金属層を設けた耐熱繊維クロスであれば種々の材質を採用することができる。
【００１９】
また、補強部３によって、第１着脱部２ａ、２ｂと配管の外周面との接触が遮断されることから、第１着脱部２ａ、２ｂからの放熱を防ぐことができる。尚、補強部３の材質としては、一例として、シリコンクロスを挙げることができるが、表面及び裏面に金属層を設けた耐熱繊維クロスであれば種々の材質を採用することができる。
【００２０】
第１着脱部２ａ、２ｂは、配管装着時に配管の長手方向に沿って設けられていることとなるスライドファスナーにより構成されている。これにより、配管に対する着脱作業を容易に行うことができる。
【００２１】
保温部１に内包されている保温材は、グラスウールが好ましい。これにより、断熱及び保温の効果を高めることができる。尚、グラスウールに替えて、ロックウール等の繊維質保温材を使用してもよい。また、補強部３に保温部１と同様の保温材を内包させる構成としてもよい。
【００２２】
保温部１は、カバー本体１０ａの表面と裏面とを糸９で縫い付けることによって、長手方向に平行に複数の区画５ａ、５ｂ、５ｃ、５ｄが形成されている。これにより、保温部１に内包されている保温材が偏るのを防ぐことができ、配管を均一に保温することができる。
【００２３】
第２着脱部４ａ、４ｂは、保温部１の長手方向両端部近傍に設けられた挿通孔７ａ、７ｂに紐６が挿入されてなるものであって、紐６の両端を引張り、結ぶことによって、配管装着時には、保温部１の長手方向両端部近傍が配管に密着する構成としている。
【００２４】
これにより、保温部１の保温材が外部に露出することは無く、配管用保温カバー１０の長手方向両端部からの放熱を防ぐことができる。
【００２５】
図４は、本考案に係る配管用保温カバーを配管に装着する時の形状を示す斜視図であり、図５は本考案に係る配管用保温カバーを配管に装着した状態を示す一部拡大斜視図である。尚、図４において配管は図示していない。これらの図を用いて本考案に係る配管用保温カバーの配管に対する着脱について説明する。
【００２６】
配管へ配管用保温カバー１０を装着する時は、図１に示した配管用保温カバー１０の表面が配管の外周面に当接するようにして、スライドファスナーから構成された第１着脱部２ａ、２ｂを接合して図４に示すように筒状にする。
【００２７】
そして、図５に示すように、第２着脱部４ａ、４ｂの紐６ａ（６ｂ）の両端を引張り、結ぶことによって、配管装着時には、保温部１の長手方向両端部近傍が配管８に密着した状態となる。
【００２８】
したがって、保温部１の保温材が外部に露出することは無く、配管用保温カバー１０の長手方向両端部からの放熱を防ぐことができる。
【００２９】
また、配管用保温カバー１０を配管に装着した状態では、スライドファスナーの内側に長方形状の補強部３が位置しており、補強部３が配管の外周面に当接することとなるため、配管の外周面とスライドファスナーの金属面が接触することはない。
【００３０】
したがって、補強部３によって、第１着脱部２ａ、２ｂからの放熱を防ぐことができる。また、第１着脱部２ａ、２ｂのスライドファスナー及び第２着脱部４ａ、４ｂの紐６ａ（６ｂ）によって、配管用保温カバー１０の配管８に対する装着及び、取り外しを簡易に行うことができる。
【産業上の利用可能性】
【００３１】
本考案の配管用保温カバーは、蒸気や温水等の流体を流通させる配管の外周に巻き付けて断熱及び保温を行うために使用される。
【符号の説明】
【００３２】
１  保温部
２ａ、２ｂ  第１着脱部
３  補強部
４ａ、４ｂ  第２着脱部
５ａ、５ｂ、５ｃ、５ｄ  区画
６ａ、６ｂ  紐
７ａ、７ｂ  挿通孔
８  配管
９  糸
１０  配管用保温カバー
１０ａ  カバー本体
【図１】
0003223570.tif 000003
【図２】
0003223570.tif 000004
【図３】
0003223570.tif 000005
【図４】
0003223570.tif 000006
【図５】
0003223570.tif 000007